(57)【要約】  ラジオベース電力を管理する方法及びシステムは、複数のラジオと、モバイルプラットフォームのロケーションの変化を検出するロジックとを有するモバイルプラットフォームを有してもよい。ロジックはまた、ロケーションの変化に応答して複数のラジオの少なくとも１つを非アクティブ化してもよい。ロケーションの変化は、複数のラジオの１以上のアクティブなラジオから取得されるロケーション情報と、複数のラジオのアクティブなラジオに関するコネクションロスとに基づき検出される。
2014523682.tif 000002
【特許請求の範囲】
【請求項１】
プロセッサにより実行される場合にシステムに、
複数のラジオを有するモバイルプラットフォームのロケーションの変化を検出させ、
前記ロケーションの変化に応答して前記複数のラジオの少なくとも１つを非アクティブ化させる、
命令セットを有する非一時的なコンピュータ可読記憶媒体。
【請求項２】
実行される場合、前記命令は、システムに前記複数のラジオのアクティブなラジオに関してコネクションロスを特定させ、
前記ロケーションの変化は、前記コネクションロスに少なくとも部分的に基づき検出される、請求項１記載の媒体。
【請求項３】
前記アクティブなラジオは、Ｗｉ−Ｆｉラジオとブルートゥースラジオとの少なくとも１つを含む、請求項２記載の媒体。
【請求項４】
実行される場合、前記命令は、システムに前記複数のラジオのアクティブなラジオに関するロケーション情報を取得させ、
前記ロケーションの変化は、前記ロケーション情報に少なくとも部分的に基づき検出される、請求項１記載の媒体。
【請求項５】
前記アクティブなラジオは、セルラーラジオとＧＰＳ（Ｇｌｏｂａｌ  Ｐｏｓｉｔｉｏｎｉｎｇ  Ｓｙｓｔｅｍ）ラジオとの少なくとも１つを含む、請求項４記載の媒体。
【請求項６】
実行される場合、前記命令はシステムに前記ロケーション情報と地図情報とを比較させる、請求項４記載の媒体。
【請求項７】
実行される場合、前記命令はシステムに、前記アクティブなラジオに関するロケーション情報を取得するため、前記複数のラジオの非アクティブなラジオをアクティブ化させる、請求項４記載の媒体。
【請求項８】
実行される場合、前記命令はシステムに、前記ロケーションの変化に応答してエントリ基準とイグジット基準との少なくとも１つを評価させ、
前記ロケーションの変化が前記エントリ基準とイグジット基準との少なくとも１つを充足した場合、前記複数のラジオの少なくとも１つが非アクティブ化される、請求項１記載の媒体。
【請求項９】
前記エントリ基準とイグジット基準との少なくとも１つは、ロケーションプロファイルに関連付けされる、請求項８記載の媒体。
【請求項１０】
実行される場合、前記命令はシステムに、前記ロケーションの変化に応答して前記複数のラジオの少なくとも１つを低電力モードに配置させる、請求項１記載の媒体。
【請求項１１】
実行される場合、前記命令はシステムに、前記ロケーションの変化に応答して前記複数のラジオの少なくとも１つをアクティブ化させる、請求項１記載の媒体。
【請求項１２】
複数のラジオと、
ロジックと、
を有するモバイルプラットフォームであって、
前記ロジックは、
当該モバイルプラットフォームのロケーションの変化を検出し、
前記ロケーションの変化に応答して前記複数のラジオの少なくとも１つを非アクティブ化するモバイルプラットフォーム。
【請求項１３】
前記ロジックは、前記複数のラジオのアクティブなラジオに関してコネクションロスを特定し、
前記ロケーションの変化は、前記コネクションロスに少なくとも部分的に基づき検出される、請求項１２記載のモバイルプラットフォーム。
【請求項１４】
前記アクティブなラジオは、Ｗｉ−Ｆｉラジオとブルートゥースラジオとの少なくとも１つを含む、請求項１３記載のモバイルプラットフォーム。
【請求項１５】
前記ロジックは、前記複数のラジオのアクティブなラジオからロケーション情報を取得し、
前記ロケーションの変化は、前記ロケーション情報に少なくとも部分的に基づき検出される、請求項１２記載のモバイルプラットフォーム。
【請求項１６】
前記アクティブなラジオは、セルラーラジオとＧＰＳ（Ｇｌｏｂａｌ  Ｐｏｓｉｔｉｏｎｉｎｇ  Ｓｙｓｔｅｍ）ラジオとの少なくとも１つを含む、請求項１５記載のモバイルプラットフォーム。
【請求項１７】
前記ロジックは、前記ロケーション情報と地図情報とを比較する、請求項１５記載のモバイルプラットフォーム。
【請求項１８】
前記ロジックは、前記アクティブなラジオからロケーション情報を取得するため、前記複数のラジオの非アクティブなラジオをアクティブ化する、請求項１５記載のモバイルプラットフォーム。
【請求項１９】
前記ロジックは、前記ロケーションの変化に応答してエントリ基準とイグジット基準との少なくとも１つを評価し、
前記ロケーションの変化が前記エントリ基準とイグジット基準との少なくとも１つを充足した場合、前記複数のラジオの少なくとも１つが非アクティブ化される、請求項１２記載のモバイルプラットフォーム。
【請求項２０】
前記エントリ基準とイグジット基準との少なくとも１つは、ロケーションプロファイルに関連付けされる、請求項１９記載のモバイルプラットフォーム。
【発明の詳細な説明】
【技術分野】
【０００１】
実施例は、一般にモバイルプラットフォームにおける電力管理に関する。より詳細には、実施例は、モバイルプラットフォームラジオを自動的にアクティブ化及び非アクティブ化することによって電力を保存することに関する。
【背景技術】
【０００２】
スマートフォンやタブレットなどのモバイルプラットフォームは、様々な目的のためオフプラットフォーム通信を提供する複数のラジオ又は無線機能を有する。例えば、１つのスマートフォンは、音声及び／又はデータ通信用のセルララジオと、データ通信用のＷｉ−Ｆｉ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ／ＩＥＥＥ  ８０２．１１−２００７，Ｗｉｒｅｌｅｓｓ  Ｌｏｃａｌ  Ａｒｅａ  Ｎｅｔｗｏｒｋ／ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓなど）ラジオとの双方を有しているかもしれない。しかしながら、Ｗｉ−Ｆｉアクセスポイントが利用不可であり、Ｗｉ−Ｆｉラジオが通信用に利用されていないとき、機会があるかもしれない（スマートフォンがデータ送信中であるときなど）。このような場合、Ｗｉ−Ｆｉラジオは、アクティブ化されたままであり、ユーザにより手動により非アクティブ化されない場合、特にスキャンモードにおいて電力を引出続ける可能性がある。
【図面の簡単な説明】
【０００３】
本発明の実施例の各種効果は、以下の明細書及び添付した請求項を読み、以下の図面を参照することによって当業者に明らかになるであろう。
【図１】図１は、一実施例によるモバイルプラットフォームの一例のブロック図である。
【図２】図２は、一実施例による電力管理スキームの一例のブロック図である。
【図３】図３は、一実施例による複数のロケーションプロファイルの一例のブロック図である。
【図４】図４は、一実施例によるモバイルプラットフォームのラジオ設定を管理する方法の一例のフローチャートである。
【発明を実施するための形態】
【０００４】
実施例は、プロセッサにより実行された場合、システムに複数のラジオを有するモバイルプラットフォームのロケーションの変更を検出させる命令セットを含む非一時的コンピュータ可読記憶媒体を有する。当該命令はまた、システムにロケーションの変更に応答して複数のラジオの少なくとも１つを非アクティブ化させるものであってもよい。
【０００５】
実施例はまた、複数のラジオとモバイルプラットフォームのロケーションの変化を検出するロジックとを有するモバイルプラットフォームを有してもよい。ロジックはまた、ロケーションの変更に応答して、複数のラジオの少なくとも１つを非アクティブ化可能である。
【０００６】
さらに、実施例は、複数のラジオを有するモバイルプラットフォームのロケーションの変化を検出するロジックを有する装置を有することが可能である。当該ロジックはまた、ロケーションの変更に応答して複数のラジオの少なくとも１つを非アクティブ化してもよい。
【０００７】
図１を参照して、複数のラジオ１２（１２ａ〜１２ｎ）を有するモバイルプラットフォーム１０が示される。図示されたモバイルプラットフォーム１０は、モバイルインターネットデバイス（ＭＩＤ）、ＰＤＡ（Ｐｅｒｓｏｎａｌ  Ｄｉｇｉｔａｌ  Ａｓｓｉｓｔａｎｔ）、無線スマートフォン、メディアプレーヤー、ノートブックコンピュータ、タブレット装置などのシステムの一部であってもよく、モバイルプラットフォーム１０は、ラジオ１２の１以上がオフプラットフォーム通信のため利用されないロケーションをときどき入力する。従って、モバイルプラットフォーム１０は、モバイルプラットフォーム１０のロケーションの変化を検出し、ロケーションの変更に応答して個別にラジオ１２を非アクティブ化（電力オフなど）、設定（低電力モードに配置など）及び／又はアクティブ化（電力オンなど）するロジック１６を有する／実行するプロセッサ１４を有してもよい。
【０００８】
例えば、第１ラジオ（“ラジオ１”）は、セルラー（Ｔｈｉｒｄ  Ｇｅｎｅｒａｔｉｏｎ／３Ｇ，Ｓｅｃｏｎｄ  Ｇｅｎｅｒａｔｉｏｎ  ２Ｇ，Ｇｌｏｂａｌ  Ｓｙｓｔｅｍ  ｆｏｒ  Ｍｏｂｉｌｅ  Ｃｏｍｍｕｎｉｃａｔｉｏｎｓ／ＧＳＭ（登録商標），Ｗ−ＣＤＭＡ（ＵＭＴＳ），ＣＤＭＡ２０００（ＩＳ−８５６／ＩＳ−２０００）など）ラジオ１２ａを有し、第２ラジオ（“ラジオ２”）は、Ｗｉ−Ｆｉラジオ１２ｂを有し、第ｎラジオ（“ラジオｎ”）は、ブルートゥース（ＩＥＥＥ  ８０２．１５．１−２００５，Ｗｉｒｅｌｅｓｓ  Ｐｅｒｓｏｎａｌ  Ａｒｅａ  Ｎｅｔｗｏｒｋｓなど）ラジオ１２ｎを有することが可能であり、モバイルプラットフォーム１０がＷｉ−Ｆｉラジオ１２ｂの利用を伴わないロケーション（車など）を入力したと判断した場合、Ｗｉ−Ｆｉラジオ１２ｂは自動的に非アクティブ化可能である。ラジオ１２を選択的に非アクティブ化し、及び／又はラジオ１２を低電力モード（低減されたスキャンモードなど）に配置することは、実質的な電力の節約を提供し、モバイルプラットフォーム１０のバッテリ寿命を延長可能である。
【０００９】
特に、プロセッサ１４は、格納されているロジック命令セット及び／又は埋め込みロジックを実行可能な１以上のプロセッサコア１８と、システムメモリ２２と通信するよう構成される統合メモリコントローラ（ＩＭＣ）２０とを有してもよい。システムメモリ２２は、例えば、デュアルインラインメモリモジュール（ＤＩＭＭ）、スモールアウトラインＤＩＭＭ（ＳＯＤＩＭＭ）などのメモリモジュールとして構成されるダイナミックランダムアクセスメモリ（ＤＲＡＭ）などを有することが可能である。モバイルプラットフォーム１０はまた、ホスト装置として機能し、ラジオ１２と通信可能なプラットフォームコントローラハブ（ＰＣＨ）２４（チップセットのサウスブリッジとも呼ばれる）を有してもよい。
【００１０】
上述されるように、ラジオ１２は、携帯電話、Ｗｉ−Ｆｉ、Ｌｏｗ−Ｒａｔｅ  Ｗｉｒｅｌｅｓｓ  ＰＡＮ（ＩＥＥＥ  ８０２．１５．４−２００６，ＬＲ−ＷＰＡＮなど）、ブルートゥース、ＷｉＭａｘ（ＩＥＥＥ  ８０２．１６−２００４，ＬＡＮ／ＭＡＮ  Ｂｒｏａｄｂａｎｄ  Ｗｉｒｅｌｅｓｓ  ＬＡＮＳ）、ＧＰＳ（Ｇｌｏｂａｌ  Ｐｏｓｉｔｉｏｎｉｎｇ  Ｓｙｓｔｅｍ）、スプレッドスペクトル（９００ＭＨｚなど）及び他の無線周波数（ＲＦ）電話用などの広範な用途のためオフプラットフォーム無線通信機能を提供可能である。図示されるモバイルプラットフォーム１０はまた、マスストレージ（ハードディスクドライブ／ＨＤＤ、光ディスク、フラッシュメモリ、プログラマブルリードオンリーメモリ／ＰＲＯＭ）２６と、ユーザがモバイルプラットフォーム１０と情報をやりとりし、認識することを可能にする１以上のユーザインタフェース（ＵＩ）装置（タッチスクリーン、液晶ディスプレイ／ＬＣＤ、発光ダイオード／ＬＥＤ、キーボード、マウスなど）とを有してもよい。モバイルプラットフォーム１０はまた、マシーン・ツー・マシーンコンフィギュレーションの場合と同様に“ＵＩ−ｌｅｓｓ”とすることが可能である（トラックがログされたデータを送信するためのデポットに到着したときに、Ｗｉ−Ｆｉが有効になるトラックにＧＰＳロケーションを追跡するための装置など）。
【００１１】
図２は、モバイルプラットフォーム３０が利用され、複数のロケーション間で移動する電力管理スキームを示す（第１ロケーション−“ロケーション１”及び第２ロケーション−“ロケーション２”など）。従って、上述されるように、モバイルプラットフォーム１０（図１）は、図示されたモバイルプラットフォーム３０のため容易に代替されてもよい。例えば、モバイルプラットフォーム３０は、ユーザの自宅である可能性がある第１ロケーションと、ユーザの車である可能性がある第２ロケーションとの間で携行されてもよく、第１プロファイル（“プロファイル１”）３２は第１ロケーションと関連付けされ、第２プロファイル（“プロファイル２”）３４は第２ロケーションと関連付けされる。プロファイル３２，３４は、モバイルプラットフォーム３０上で確立及び／又は維持され、ワークロケーション、アーバン（都市など）ロケーション、地方ロケーション、他のロケーション（“非自宅”など）などの他のロケーションと関連付けされる追加的なプロファイルが、住所（仕事／自宅など）、頻繁な目的地（駅、空港、インターネットカフェなど）、ユーザの嗜好などの特定の予めのコンフィギュレーション情報についてユーザを促すことに関するものとすることができる。図示された具体例では、各プロファイル３２，３４は、モバイルプラットフォーム３０のラジオベース電力消費を管理するためのラジオ設定と共に、１以上のエントリ及びイグジット基準を有する。
【００１２】
特に、第１プロファイル３２は、モバイルプラットフォーム３０が第１ロケーションに入る及び出るときに、何れのラジオがアクティブ化／非アクティブ化されるべきか示すラジオ設定４０を有してもよい。例えば、ラジオ設定４０は、アクティブ化すべきモバイルプラットフォーム３０のセルラーラジオ及びＷｉ−Ｆｉラジオと、第１ロケーションにおいて非アクティブ化すべきモバイルプラットフォーム３０のブルートゥースラジオ及びＧＰＳラジオを呼び出すことが可能であり、ブルートゥース及びＧＰＳラジオの非アクティブ化は、電力消費を低減し、モバイルプラットフォーム３０のバッテリ寿命を延長させるようにしてもよい。さらに、図示された第１プロファイル３２は、モバイルプラットフォーム３０が第１ロケーションをに入ったという到達すべき結論に求められる条件を定義する１以上のエントリ基準３６を有する。例えば、エントリ基準３６は、第１ロケーションに対応するホームアドレスを含むＧＰＳ座標の範囲を含むものであってもよい。
【００１３】
同様に、第１プロファイル３２は、モバイルプラットフォーム３０が第１ロケーションから出たという到達すべき結論に求められる条件を定義する１以上のイグジット基準３８を含むことが可能である。従って、イグジット基準３８は、Ｗｉ−Ｆｉラジオに関するコネクションロスを示すものであってもよい。これに関して、モバイルプラットフォーム３０が対象となる時点において利用可能なロケーション情報に依拠するように、エントリ及びイグジット基準３６，３８は、何れのラジオがアクティブ化され、何れのラジオが非アクティブ化されることを考慮してもよい。例えば、上述されたシナリオでは、エントリ基準３６は、モバイルプラットフォーム３０が第１ロケーションに入ると、Ｗｉ−Ｆｉラジオが非アクティブ化されるため、Ｗｉ−ＦｉでなくＧＰＳラジオの利用に関するものとすることが可能である。他方、イグジット基準３８は、モバイルプラットフォーム３０が第１ロケーションから出るとき、ＧＰＳラジオが非アクティブ化されるため、ＧＰＳでなくＷｉ−Ｆｉラジオからの情報を利用してもよい。あるいは、モバイルプラットフォーム３０は、適切なロケーション情報を取得するため、１以上の非アクティブなラジオをアクティブ化することが可能である。さらに、モバイルプラットフォーム３０は、モバイルプラットフォーム３０のロケーションを決定するため、地図情報などの他の情報とロケーション情報とを比較してもよい。例えば、，地図上の道路、仕事場、居住地、駅及び他の関心のある場所はすべて、モバイルプラットフォーム３０のロケーションを決定するため、ラジオ情報と共に利用されてもよい。
【００１４】
第２プロファイル３４はまた、モバイルプラットフォーム３０が第２ロケーションに入ったという結論に到達するのに求められる条件を定義する１以上のエントリ基準４２を有してもよく、エントリ基準４２の決定は、第１プロファイル３２のイグジット基準３８の充足によりトリガされてもよい。例えば、第２ロケーションが車であるケースでは、Ｗｉ−Ｆｉコネクションが失われたと判断すると、モバイルプラットフォーム３０は、何れかのアクティブな（電力オンされているなど）ラジオから利用可能なロケーション情報（セルラー三角測量及び／又は密度データなど）に基づきエントリ基準４２（及び／又は他の何れか確立されているプロファイルのエントリ基準）を評価できる。さらに、モバイルプラットフォーム３０は、以前に格納したロケーション情報（ＧＰＳ座標など）を抽出し、及び／又はエントリ基準４２が充足されたか判断するのに十分なロケーション情報を取得するため、１以上の非アクティブなラジオ（ＧＰＳラジオなど）をアクティブ化することが可能である。
【００１５】
図示されたエントリ基準４２が充足される場合、第２ロケーションのために調製された１以上のラジオ設定４４が実現されてもよい。例えば、ラジオ設定４４は、ブルートゥースラジオ及びＧＰＳラジオをアクティブ化し、Ｗｉ−Ｆｉラジオを非アクティブ化することを求めることが可能であり、Ｗｉ−Ｆｉラジオの非アクティブ化は、電力消費を低減し、バッテリ寿命を延長させてもよい。図示されたプロファイル３４はまた、モバイルプラットフォーム３０が第２ロケーションから出たという到達すべき結論に求められる条件を定義する１以上のイグジット基準４６を有する。従って、イグジット基準４６は、第２ロケーションではアクティブ状態であるかもしれないブルートゥースラジオに関するコネクションロスを示すものであってもよい。
【００１６】
また、モバイルプラットフォーム３０は関連付けされたプロファイルを有するロケーションに入っていないことが、第１ロケーション又は第２ロケーションから出ることにより判断可能である。このようなケースでは、モバイルプラットフォーム３０は、何れか特定のロケーション又はプロファイルに関連付けされていないデフォルトのラジオ設定を構成してもよい。
【００１７】
図３は、様々なロケーション間を移動するモバイルプラットフォームのラジオベース電力を管理するため複数のプロファイル４８（４８ａ〜４８ｅ）が利用されるシナリオを示す。図示された具体例では、自宅プロファイル４８ａ、車プロファイル４８ｂ、地方プロファイル４８ｃ、都市プロファイル４８ｄ、ワークプロファイル４８ｅなどが、モバイルプラットフォーム上のアクティブなラ時の１以上からのロケーション情報を用いて呼び出されてもよい。ロケーション情報は、限定することなく、コネクションロス情報、ＧＰＳ座標情報、セルラー三角測量情報、セルラー密度情報などを含むものであってもよい。さらに、プロファイル４８は、ユーザ入力、履歴データ、地図データ、ラジオデータなど又はこれらの何れかの組み合わせから構成されてもよい。以下のテーブルＩは、プロファイル４８に関連付けされてもよいラジオ設定の一例を示す。
【００１８】
【表１】
2014523682.tif 000003
図４は、モバイルプラットフォームのラジオ設定を管理する方法５０を示す。方法５０は、特定用途向け集積回路（ＡＳＩＣ）、相補型ＭＯＳ（Ｍｅｔａｌ  Ｏｘｉｄｅ  Ｓｅｍｉｃｏｎｄｕｃｔｏｒ）若しくはトランジスタ・トランジスタロジック（ＴＴＬ）技術又はこれらの何れかの組み合わせなどの回路技術を利用した固定機能ロジックハードウェアにおけるＲＡＭ（Ｒａｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ファームウェア、フラッシュメモリなどのマシーン若しくはコンピュータ可読記憶媒体に格納されるロジック命令セットとして、モバイルプラットフォーム１０（図１）又はモバイルプラットフォーム３０（図２）などのモバイルプラットフォームのロジック１６（図１）により実現されてもよい。例えば、方法５０に示される処理を実行するためのコンピュータプログラムコードは、Ｊａｖａ（登録商標）、Ｓｍａｌｌｔａｌｋ、Ｃ＋＋などのオブジェクト指向プログラミング言語と、“Ｃ”プログラミング言語又は同様のプログラミング言語などの従来の手続き型プログラミング言語を含む１以上のプログラミング言語の何れかの組み合わせにより記述されてもよい。
【００１９】
処理ブロック５２は、ロケーションの変更がモバイルプラットフォームに関して行われたか判断する。上述されるように、変更は絶対的な（ＧＰＳ、２Ｇ／３Ｇ三角測量など）ロケーション情報、相対的な（Ｗｉ−Ｆｉアクセスポイント／ペアーのブルートゥース装置との近接さなど）ロケーション情報又はこれらの何れかの組み合わせに基づき検出されてもよい。現在の速度（ＧＰＳベースなど）などの他のラジオにより提供された情報もまた、図示された判定処理を補完するのに利用可能である。ロケーション変更が検出された場合、図示されたブロック５４は、プロファイル３２，３４（図２）又はプロファイル４８（図３）などのラジオベースロケーションプロファイルが現在アクティブ状態であるか判断する。ロケーションプロファイルが現在アクティブ状態である場合、ブロック５６において、プロファイルのイグジット基準が充足されたか判断されてもよい。充足されている場合、図示されたブロック６０は、エントリ基準が他のロケーションプロファイルについて充足されたか判断する。従って、ブロック６０は、ロケーション情報（コネクションロス情報、ＧＰＳロケーション情報など）を取得し、ロケーション情報に基づき１以上のプロファイル（ワークプロファイル、車プロファイルなど）についてエントリ基準を評価することに関するものとすることが可能である。
【００２０】
ロケーションプロファイルのエントリ基準が充足されている場合、モバイルプラットフォーム上の１以上のラジオが、ブロック６２において、エントリ基準が充足されているプロファイルに含まれるラジオ設定に基づきアクティブ化及び／又は非アクティブ化可能である。ブロック６２はまた、低電力（低減されたスキャンなど）モードなどの異なるモードに１以上のラジオを再設定することに関するものとすることができる。図示されたブロック６４は、特定のエントリ基準が充足されない場合、デフォルトプロファイルのラジオ設定に基づきモバイルプラットフォーム上の１以上のラジオを設定、アクティブ化及び／又は非アクティブ化する。
【００２１】
従って、モバイルプラットフォームのラジオからの情報が、プラットフォームが特定のロケーションプロファイルを入力したことを示すとき、当該ロケーションプロファイルに必要とされるラジオが自動的にスイッチオンされ、当該プロファイルに必要とされないラジオは、電力を節約するため自動的にスイッチオフされてもよい。この結果、モバイルプラットフォームのバッテリ寿命は延長可能であり、全体的なユーザ体感は向上する。
【００２２】
ここに開示された実施例は、すべてのタイプの半導体集積回路（“ＩＣ”）チップによる利用に適用可能である。これらのＩＣチップの具体例は、限定することなく、プロセッサ、コントローラ、チップセットコンポーネント、プログラマブルロジックアレイ（ＰＬＡ）、メモリチップ、ネットワークチップなどを含む。さらに、いくつかの図面では、信号導線は直線により表される。一部は、より多くの構成要素となる信号パスを示すため異なり、複数の構成要素となる信号パスを示すため番号ラベルを有し、及び／又はプライマリ情報フロー方向を示すため１以上のエンドにおいて矢印を有するようにしてもおい。しかしながら、これは、限定的に解釈されるべきでない。このような追加された詳細は、回路のより容易な理解を実現するため、１以上の例示的な実施例と共に利用されてもよい。追加的な情報を有するか否かに関係なく、何れか表された信号線は、複数の方向に移動する１以上の信号を実際に有し、差動ペア、光ファイバライン及び／又は信号エンドラインにより実現されるデジタル又はアナログラインなどの何れか適切なタイプの信号スキームにより実現されてもよい。
【００２３】
本発明の実施例は同じものに限定されないが、一例となるサイズ／モデル／値／範囲が与えられてもよい。製造技術（フォトリソグラフィーなど）が経時的に成熟化するため、より小さなサイズの装置が製造可能となることが予想される。さらに、ＩＣチップ及び他のコンポーネントとの周知な電力／グラウンド接続は、図示及び説明の簡単化のため、及び本発明の実施例の特定の態様を不明りょうにしないため、図面内に示されてもよいし、示されなくてもよい。さらに、本発明の実施例を不明りょうにすることを回避するため、構成はブロック図の形式で示され、このようなブロック図の構成の実現に関する詳細は実施例が実現されるプラットフォームに大きく依存するという事実に関し、このような詳細は当業者の範囲内で十分である。具体的な詳細（回路など）が本発明の実施例を説明するため提供される場合、本発明の実施例はこれらの具体的な詳細なしに又は変形によって実現可能であることは、当業者に明らかであるべきである。当該説明は、限定的でなく例示的なものとしてみなされるべきである。
【００２４】
“接続”という用語は、対象となるコンポーネント間の直接的又は間接的な何れかのタイプの関係を表すのに利用されてもよく、電気、機械、流体、光、光磁気、電気機械又は他の接続に適用されてもよい。さらに、“第１”、“第２”などの用語は、説明を容易にするためだけに利用され、特段の断りがない場合、特定の時間的意味を有しない。
当業者は、本発明の実施例の広範な技術が各種形態により実現可能であることを上記の説明から理解するであろう。従って、本発明の実施例がこれらの特定の例により説明されるが、本発明の実施例の真の範囲は、図面、明細書及び以下の請求項を参照することにより他の変更が当業者に明らかになるであろうため、限定されるべきでない。
【図１】
2014523682.tif 000004
【図２】
2014523682.tif 000005
【図３】
2014523682.tif 000006
【図４】
2014523682.tif 000007
【国際調査報告】
2014523682.tif 000008
2014523682.tif 000009